(57)【特許請求の範囲】
【請求項１】
生体組織を処置する処置手段を有する処置具と、
上記処置手段に処置用エネルギーを供給するエネルギー供給手段とを備え、
上記処置手段による上記生体組織の処置時に、上記処置手段に上記処置用エネルギーを供給して上記生体組織の処置を行う電気手術装置であって、
上記処置用エネルギーと周波数が異なる上記生体組織の状態検査用の検査出力を発生させる検査出力発生手段と、
上記エネルギー供給手段が供給する上記処置用エネルギーに、上記検査出力発生手段から出力される検査出力を重畳させて、上記処置手段に供給する出力合成手段と、
上記生体組織から帰還した検知信号より検査出力を取り出し、その検査出力の変化に基づいて処置対象の上記生体組織の生体情報を得る生体情報検知手段と、
を具備したことを特徴とする電気手術装置。
【発明の詳細な説明】
【０００１】
【発明の属する技術分野】
本発明は高周波電力を用いて生体組織の切除、或は、止血等の処置を行う電気手術装置に関する。
【０００２】
【従来の技術】
一般に、電気メス等の電気手術装置は外科手術、或は、内科手術で生体組織の切開や、凝固止血等の処置を行う際に用いられている。この電気手術装置には、高周波焼灼電源装置（以下、焼灼用電源と記載）と、この焼灼用電源に接続される処置具とが設けられている。ここで、処置具には生体組織に接触させる接触部が設けられており、この接触部に処置用の電極が装着されている。
【０００３】
そして、この電気手術装置の使用時には処置具の接触部を処置部に接触させた状態で、処置用電極に処置用の高周波電力（電気エネルギー）を供給し、生体組織の処置を行うようになっている。
【０００４】
【発明が解決しようとする課題】
上記従来構成のものにあっては生体組織の切開や、凝固止血等の処置を行う際に電気手術装置の焼灼用電源から出力される高周波電力の出力設定は術者の勘と経験により、決定されている。そして、電気手術における実際の止血作業は、焼灼用電源から出力される高周波電力の出力時間及び目視により、その止血程度、凝固品位を判断するようにしている。そのため、焼灼用電源から出力される高周波電力を最適に制御することは難しいので、最適な高周波電力により、効率良く切除、或は、凝固止血作業を行うことは難しい問題がある。
【０００５】
また、一部の電気手術装置では、高周波電力の出力の自動制御を行っているものもある。しかしながら、電気手術装置の使用条件は症例毎に異なるので、処置対象の生体組織の違いや、焼灼部位や電極、電極の組織への接触の強さのバラツキ等により、その焼灼の程度がばらつくために高精度に高周波電力の出力を制御することができない問題がある。
【０００６】
本発明は上記事情に着目してなされたもので、その目的は、負荷となる生体組織の処置状態を確実に検知することができる電気手術装置を提供することにある。
【０００７】
【課題を解決するための手段】
本発明は、生体組織を処置する処置手段を有する処置具と、上記処置手段に処置用エネルギーを供給するエネルギー供給手段とを備え、上記処置手段による上記生体組織の処置時に、上記処置手段に上記処置用エネルギーを供給して上記生体組織の処置を行う電気手術装置であって、上記処置用エネルギーと周波数が異なる上記生体組織の状態検査用の検査出力を発生させる検査出力発生手段と、上記エネルギー供給手段が供給する上記処置用エネルギーに、上記検査出力発生手段から出力される検査出力を重畳させて、上記処置手段に供給する出力合成手段と、上記生体組織から帰還した検知信号より検査出力を取り出し、その検査出力の変化に基づいて処置対象の上記生体組織の生体情報を得る生体情報検知手段とを具備する電気手術装置である。
【０００８】
【発明の実施の形態】
以下、本発明の第１の実施の形態を図１乃至図４（Ａ）を参照して説明する。図１は本実施の形態の電気手術装置１のシステム全体の概略構成を示すものである。本実施の形態の電気手術装置１には、高周波焼灼電源装置（以下、焼灼用電源と記載）２が設けられている。この焼灼用電源２にはモノポーラ処置具３、患者用電極４およびフットスイッチ５がそれぞれ接続されている。なお、本実施の形態の電気手術装置１で使用される処置具としてはモノポーラ処置具３や、バイポーラ処置具がある。そして、モノポーラ、バイポーラの両方の場合に用いることができる。
【０００９】
また、焼灼用電源２には、図２に示すように処置用周波数発振器（エネルギー供給手段）６と、検知用周波数発振器（検査出力発生手段）７とが設けられている。ここで、処置用周波数発振器６はモノポーラ処置具３の処置用電極に供給される処置用の電気エネルギーの周波数、例えば数百ＫＨｚ程度の高周波出力を発生させるものである。さらに、検知用周波数発振器７は処置用の高周波出力とは異なる周波数、例えば数ＭＨｚ程度の高周波出力の生体組織の状態検査用の検査信号を発生させるものである。
【００１０】
また、処置用周波数発振器６の出力端側はプリアンプ８、パワーアンプ９を順次介して出力合成回路（検査出力供給手段）１０の一方の入力端に接続されている。さらに、検知用周波数発振器７の出力端側はアンプ１１を介して出力合成回路１０の他方の入力端に接続されている。出力合成回路１０の出力端側は（＋）側の出力端子に接続されている。この出力合成回路１０は、トランスを用いての合成や、アンプを用いての足し算回路や、単に出力を接続する等、種々の方式があるが、特に制限はない。
【００１１】
また、検知用周波数発振器７の出力端側には電圧検出回路１２が接続されている。この電圧検出回路１２の検出信号は組織状態検知回路（生体情報検知手段）１３に入力されるようになっている。この組織状態検知回路１３は、抵抗値測定のみを行う場合や、位相情報も用いての誘電率測定を行う場合など、種々の方式が考えられる。本実施の形態では特に制限はない。
【００１２】
また、組織状態検知回路１３には制御回路１４が接続されているとともに、フィルタ１５を介して電流検出回路１６が接続されている。この電流検出回路１６は（−）側の出力端子に接続されている。
【００１３】
さらに、制御回路１４にはパワーアンプ９が接続されているとともに、表示部１７が接続されている。なお、電圧検出回路１２は、回路構成上、出力電圧が別の手段ではっきりしている時（出力電圧一定とか、制御回路の指示によって出力電圧が制御される場合等）は、特に必要ではなくなる。また、電流検出回路１６は、カレントセンサ、シャント抵抗等、手段には特に制限はない。また、検出部は（−）側の出力端子でなく、（＋）側の出力端子に接続しても良い。
【００１４】
なお、処置用の高周波出力の周波数は１ＭＨｚ以下の高出力回路は、それ以上の周波数の場合と比べて、価格的、技術的に有利である。しかし、低すぎると生体への影響が出るおそれがあるので、１００〜１０００ｋＨｚ程度が良い。
【００１５】
また、検知用周波数は数ＭＨｚでβ分散があり、それ以上の高い周波数では細胞膜のインピーダンスが低くなる。これによって細胞内外両方の情報が数ＭＨｚ以上の時のインピーダンス情報には含まれる。しかし、あまり高いとケーブルでの伝送時のロスが多くなりノイズに弱くなったり、回路が複雑になったりするので、２〜２０ＭＨｚ程度が良い。
【００１６】
また、フィルタ１５は、処置用周波数をカットして、検知用周波数を流すものであれば良い。本実施の形態の周波数の関係ならば検知用周波数の方が高いので、ハイパスフィルタか、バンドパスフィルタを用いることになる。
【００１７】
また、本実施の形態の制御回路１４による制御内容は次の通りである。すなわち、処置用エネルギーにて凝固、切開、溶着を行う処置を行なう場合には、組織状態検知回路１３によってそれらの処置が完了したかどうかを検知する。これにより、余分なエネルギーを供給しないことは安定した、且つ安全な処置につながる。例えば、凝固が完了したかどうかを組織状態検知回路１３にて検知し、そのパラメータの表示、処置の完了の表示、出力の低減、または出力停止の制御等の制御を行う。なお、処置が完了する前から出力を徐々に低減して、凝固のし過ぎを抑える等の高等な制御も可能である。
【００１８】
次に、上記構成の電気手術装置１の作用について説明する。生体組織の切除、止血等の処置を行う際にはモノポーラ処置具３の処置用電極に供給される処置用周波数発振器６からの処置用周波数とは異なる周波数の生体組織の状態検査用の検査信号を検知用周波数発振器７によって発生させる。
【００１９】
この検知用周波数発振器７から供給される検査信号は図３に示すように出力合成回路１０によって処置用周波数発振器６からの処置用周波数に重畳させた状態で、モノポーラ処置具３の処置用電極に供給される。さらに、組織状態検知回路１３によって検査信号の変化を検出し、その検出データに基いて処置対象の生体組織の生体情報が得られる。
【００２０】
そこで、上記構成の本実施の形態では次の効果を奏する。すなわち、処置用周波数発振器６からの処置用周波数とは別の周波数の信号を用いた負荷組織状態の検査信号を検知用周波数発振器７によって発生させ、処置用周波数と検知用周波数が異なるので、検知用周波数を分離することにより、同一周波数での検知よりデータに含まれるノイズ量を減少させることが容易になる。
【００２１】
また、処置用高周波出力には処置に適した周波数（例えば、比較的安価に高出力を得られる周波数）を、検知用高周波出力にはその機能に適した周波数（例えば、細胞膜のインピーダンスが低くなり充分に生体組織全体の特性を得られる周波数や、図４（Ａ）に示すような生体インピーダンス変化を示すときに、変化の大きな帯域の周波数）を選択することが可能となる。例えば、図４（Ａ）のように生体のインピーダンスＺが変化する場合、そのインピーダンスＺの変化が大きな帯域の周波数で生体組織の状態変化の情報を検出できることになる。
【００２２】
なお、図４（Ａ）中のｆｓ（処置用周波数）は必ずしも処置前後のインピーダンスＺの交点位置の周波数である必要はない。すなわち、図４（Ａ）に示すようにｆｐ（検知用周波数）でのΔＺ（処置後のインピーダンスＺ−処置前のインピーダンスＺ）よりΔＺが小さい位置の周波数であればよい。
【００２３】
また、図４（Ｂ）に示す変形例のように検知用高周波出力の周波数をｆｐ1 〜ｆｐ2 にダイナミックに変化させ、その際の周波数特性を得ることで、より詳細な生体状態を得ることも可能である。
【００２４】
さらに、同一タイミングでの出力を行うことで、出力制御回路１４の構成が容易となる。また、リアルタイムな生体組織状態検知が可能となる。さらに、モノポーラ処置具３の同一電極で処置と検知を行っているので、確実に処置エリアの生体組織状態を検知できる。
【００２５】
なお、本実施の形態の出力合成回路１０とアンプ類の順番はあくまで１例であり、低出力の段階で合成してから増幅して高出力とする回路も充分に可能である。さらに、本実施の形態の焼灼用電源２に接続される処置具の種類を検知する手段を組み込むことにより、一層高精度の制御を行なうことができる。
【００２６】
また、図５（Ａ），（Ｂ）は本発明の第２の実施の形態を示すものである。本実施の形態が第１の実施の形態と異なる点は、処置用周波数と検知用周波数の端子が、＋側については別々になっていることである。
【００２７】
すなわち、本実施の形態では処置具の絶縁部材２１に処置用高周波出力の＋側電極２２と、検知用高周波出力の＋側電極２３とを近接状態で配設されている。なお、−側電極２４は共通になっている。
【００２８】
また、検知用高周波出力の＋側電極２３には電流検出回路２５および電圧検出回路２６がそれぞれ接続されている。さらに、電流検出回路２５はフィルタ２７を介して組織状態検知回路１３に接続され、電圧検出回路２６はフィルタ２８を介して組織状態検知回路１３に接続されている。
【００２９】
そこで、上記構成のものにあっては次の効果を奏する。すなわち、処置用周波数と検知用周波数が異なるので、検知用周波数を分離することにより、同一周波数での検知よりデータに含まれるノイズ量を減少させることが容易になる。
【００３０】
処置用には処置に適した周波数（例えば、比較的安価に高出力を得られる周波数）を、検知用にはその機能に適した周波数（例えば、細胞膜のインピーダンスが低くなり充分に組織全体の特性を得られる周波数）を選択することが可能となる。また、リアルタイムな組織状態検知が可能となる。
【００３１】
さらに、本実施の形態では特に電流検出回路２５には処置用周波数のエネルギーが流れ込まない構造になっているので、簡単なフィルタで用を成すことになり、電流検出回路２５の簡略化が図れる。
【００３２】
なお、接続する処置具の＋側電極は、端子が別々になっているのに対応して本実施の形態のように処置用と検知用が近傍に別々に設けられているものでも、図５（Ｂ）に示すように共通の＋側電極２９を設けてもよい。そのため、処置用電極と検知用電極が別々になっている処置具も、共通になっている処置具も使用することができる。
【００３３】
また、図６は本発明の第３の実施の形態を示すものである。本実施の形態は第２の実施の形態の処置用の回路と検知用の回路がＧＮＤから完全に分離されている構成にしたものである。
【００３４】
そこで、上記構成のものにあっては次の効果を奏する。すなわち、処置用周波数と検知用周波数が異なるので、検知用周波数を分離することにより、同一周波数での検知よりデータに含まれるノイズ量を減少させることが容易になる。
【００３５】
さらに、処置用には処置に適した周波数（例えば、比較的安価に高出力を得られる周波数）を、検知用にはその機能に適した周波数（例えば、細胞膜のインピーダンスが低くなり充分に組織全体の特性を得られる周波数）を選択することが可能となる。また、リアルタイムな組織状態検知が可能となる。
【００３６】
さらに、本実施の形態では特に検知用回路が処置用回路と完全に分離されているので、検知の精度が向上し、処置用周波数のエネルギーによるノイズの心配が非常に少ない。
【００３７】
また、図７は本発明の第４の実施の形態を示すものである。本実施の形態は処置用周波数ｆ1 と、検知専用周波数ｆ2 のそれぞれの周波数で組織状態検出を行う構成にしたものである。
【００３８】
すなわち、本実施の形態では電流検出回路３１にｆ1 用フィルタ３３と、ｆ2 用フィルタ３４とが設けられ、同様に電圧検出回路３２にもｆ1 用フィルタ３５と、ｆ2 用フィルタ３６とが設けられている。そして、２つのｆ1 用フィルタ３３，３５はｆ1 用組織状態検出回路（生体情報検知手段）３８に接続され、２つのｆ2 用フィルタ３４，３６はｆ2 用組織状態検出回路（生体情報検知手段）３７に接続されている。
【００３９】
そこで、上記構成のものにあっては次の効果を奏する。すなわち、処置用周波数と検知用周波数が異なるので、検知用周波数を分離することにより、同一周波数での検知よりデータに含まれるノイズ量を減少させることが容易になる。
【００４０】
さらに、処置用には処置に適した周波数（例えば、比較的安価に高出力を得られる周波数）を、検知用にはその機能に適した周波数（例えば、細胞膜のインピーダンスが低くなり充分に組織全体の特性を得られる周波数）を選択することが可能となる。また、リアルタイムな組織状態検知が可能となる。
【００４１】
さらに、本実施の形態では特にｆ1 とｆ2 とのそれぞれの周波数での検知特性を複合的に見た制御が可能となる。例えば、ｆ1 では細胞外液の含水量、蛋白変性具合等の状態変化の様子を確認し、ｆ2 では細胞内液も含んだ含水量、蛋白変性具合等の状態変化の様子の確認をすることにより、より組織の状態がはっきりと解る。
【００４２】
また、図８（Ａ），（Ｂ）は本発明の第５の実施の形態を示すものである。本実施の形態は図８（Ａ）に示すように第１の実施の形態の電気手術装置１の焼灼用電源２とモノポーラ処置具３との間に焼灼用電源２とは別体のアダプタ４１を介設し、このアダプタ４１に図８（Ｂ）に示す電気回路を組み込んだものである。
【００４３】
ここで、アダプタ４１内の電気回路には出力制御部４２と、検知用周波数発振器４３と、出力合成回路４４と、電圧検出回路４５と、電流検出回路４６と、フィルタ４７と、組織状態検知回路４８と、制御回路４９と、表示部５０とが設けられている。そして、本実施の形態でも第１の実施の形態と同様の作用、効果を得ることができる。
【００４４】
また、図９は本発明の第６の実施の形態を示すものである。本実施の形態は同軸出力の処置用発振器６１の出力に、検知用の周波数を乗せる構成にしたものである。なお、一般には、同軸出力の処置用エネルギーの周波数はマイクロ波帯以上（３００ＭＨｚ以上）であり、検知用には回路が容易なもっと低い周波数を用いるが、それは特に制限されるものではなく、どちらも周波数は任意である。
【００４５】
本実施の形態には処置用周波数発振器６１に一端部が接続された同軸ケーブル６２が設けられている。この同軸ケーブル６２の中途部には３方コネクタ６３が介設されている。さらに、この同軸ケーブル６２の他端部には同軸コネクタ６４が配設されている。
【００４６】
また、６５は検知用周波数発振器、６６はアンプ、６７は電流検出回路、６８は電圧検出回路、６９は組織状態検出回路、７０は制御回路である。そして、本実施の形態では３方コネクタ６３による周波数合成後の同軸コネクタ６４には、同軸ケーブルを伝送ケーブルとする図示しない処置用プローブが接続される。
【００４７】
そこで、上記構成の本実施の形態では次の効果を奏する。すなわち、処置用周波数と検知用周波数が異なるので、検知用周波数を分離することにより、同一周波数での検知よりデータに含まれるノイズ量を減少させることが容易になる。
【００４８】
さらに、処置用には処置に適した周波数を、検知用には検知に適した周波数  （例えば、細胞膜のインピーダンスが低くなり充分に組織全体の特性を得られる周波数）を選択することが可能となる。また、リアルタイムな組織状態検知が可能となる。
【００４９】
さらに、本実施の形態では特に処置用の出力形態を同軸ケーブル６２とし、検知用の出力形態をフィーダー出力とすることが可能となる。なお、本実施の形態では周波数合成に３方コネクタ６３を用いたが、特にこれに限定されることは無く、ケーブルを直接加工して合成を行う等の他の方法でもよい。
【００５０】
また、図１０は本発明の第７の実施の形態を示すものである。本実施の形態は処置用の出力Ａが断続的である場合は、処置用出力がオフしているときに検知用出力Ｂを出し、組織状態検知を行う構成にしたものである。
【００５１】
そこで、上記構成のものにあっては次の効果を奏する。すなわち、検知信号に乗るノイズの低減を図ることができる。さらに、処置用エネルギーが加えられていないナチュラルな状態の組織状態を検知できるので、処置用エネルギーの大小等の影響を受けない。
【００５２】
また、図１１は本発明の第８の実施の形態を示すものである。本実施の形態は処置用周波数の波形Ａのピーク時に検知用周波数Ｂを乗せた波形での組織状態検知を行う構成にしたものである。
【００５３】
そこで、上記構成のものにあっては次の効果を奏する。すなわち、組織に加えられている電界の向きが逆の場合の検知信号を見ることができ、分極の様子等を把握することができ、より高度な制御が可能となる。
【００５４】
また、図１２は本発明の第９の実施の形態を示すものである。本実施の形態は処置用周波数の波形Ａでの出力電圧ゼロの時の近傍に、検知用周波数Ｂを乗せた波形での組織状態検知を行う構成にしたものである。
【００５５】
そこで、上記構成のものにあっては次の効果を奏する。すなわち、処置用エネルギー（または処置用電界）の影響を受け難い検知が可能である。さらに、処置用エネルギー出力中の検知であり、処置用エネルギーが断続的出力の時にもその出力がオン時の検知が可能である。
【００５６】
また、図１３（Ａ），（Ｂ）および図１４は本発明の第１０の実施の形態を示すものである。本実施の形態は定電流出力である出力回路を備えた高周波メス８１に、図１４に示すように負荷インピーダンスＺが上限ＺH あるいは下限ＺL を越えると出力電流Ｉ0 を減少させる機能を設けたものである。
【００５７】
本実施の形態の高周波メス８１には高周波発振器８２と処置具８３とが設けられている。また、図１３（Ｂ）は本実施の形態の高周波メス８１の定電流制御回路８４を示すもので、電流検出器として抵抗８５を使用したものである。
【００５８】
そこで、上記構成のものにあっては次の効果を奏する。すなわち、生体を切るあるいは凝固するときのみに定電流出力で安定した出力を発生することができる。この場合、インピーダンス検知等の複雑な回路を使うことなく安定した出力特性を実現できる。そのため、切除対象の影響を受けにくい、電極ショート時の回路保護、生体のカーボン化防止等の効果がある。
【００５９】
また、図１５は本発明の第１１の実施の形態を示すものである。本実施の形態は第１０の実施の形態の装置の定電流制御回路８４の電流検出器として抵抗８５に代えてコイル９１を使用したものである。このコイル９１はＬＰＦ（ローパスフィルタ）９２を介して定電流制御回路８４に接続されている。そして、ゲインコントロールして電流を一定にする構成になっている。本実施の形態でも第１４の実施の形態と同様の効果が得られる。
【００６０】
また、図１６および図１７（Ａ），（Ｂ）は本発明の第１２の実施の形態を示すものである。本実施の形態は図１６に示すように電気メス装置１０１内に複数の発振周波数源を設け、各々の周波数の成分をＭｉｘｉｎｇできる機能を設けたものである。
【００６１】
すなわち、本実施の形態の電気メス装置１０１には第１の発振周波数源の周波数成分ｆ1 の調整つまみ１０２と、第２の発振周波数源の周波数成分ｆ2 の調整つまみ１０３と、ｆ1 の成分表示器１０４と、ｆ2 の成分表示器１０５とが設けられている。
【００６２】
また、本実施の形態の電気メス装置１０１内に配設されたＭｉｘｉｎｇ回路は図１７（Ａ）に示す足し算回路１０６によって形成されている。そして、電気メス装置１０１のｆ1 の調整つまみ１０２と、ｆ2 の調整つまみ１０３とを調整することにより、図１７（Ｂ）に示す足し算回路１０６による処置用波形を任意に成形することができる。
【００６３】
そこで、上記構成のものにあってはユーザーの希望に応じてきめ細かい波形の調整をすることができ、多彩な処置用波形を容易な操作性で得ることができる効果がある。これにより、電気メス装置１０１の切れ味を微調整することができる。
【００６４】
また、電気メス装置１０１内に配設されたＭｉｘｉｎｇ回路を構成する足し算回路１０６は図１８に示す変形例の構成にしても良く、この場合も第１２の実施の形態の足し算回路１０６と同様の効果を得ることができる。
【００６５】
また、図１９（Ａ），（Ｂ）は本発明の第１３の実施の形態を示すものである。本実施の形態は第１２の実施の形態の電気メス装置１０１内に配設されたＭｉｘｉｎｇ回路を掛け算回路（ＡＭ変調）１１１によって構成したものである。なお、図１９（Ｂ）は図１９（Ａ）の周波数調整波形を示す特性図である。本実施の形態の場合も第１２の実施の形態の足し算回路１０６と同様の効果を得ることができる。
【００６６】
また、図１９（Ｃ），（Ｄ）は本発明の第１４の実施の形態を示すものである。本実施の形態は第１２の実施の形態の電気メス装置１０１内に配設されたＭｉｘｉｎｇ回路をＦＭ変調回路１１２によって構成したものである。なお、図１９（Ｄ）は図１９（Ｃ）の周波数調整波形を示す特性図である。本実施の形態の場合も第１２の実施の形態の足し算回路１０６と同様の効果を得ることができる。
【００６７】
また、図２０（Ａ）〜図２１（Ｅ）は本発明の第１５の実施の形態を示すものである。本実施の形態は図２０（Ａ）に示すバイポーラ電気メス装置の出力中に、生体組織のインピーダンスＺ情報を得る際、その信号源の周波数特性をダイナミックに変化させ、動インピーダンスを得る機能を設ける構成にしたものである。
【００６８】
すなわち、本実施の形態の電気メス装置の焼灼用電源１２１には、高周波出力を発生させる発振源１２２と、パルス幅生成回路１２３と、スイッチングアンプ１２４と、可変電源１２５と、制御回路１２６と、設定部１２７と、出力トランス１２８とが設けられているとともに、電圧検出回路１２９と、電流検出回路１３０とが設けられている。そして、本実施の形態では上記電気回路により高周波出力波形を自由に変化させる機能を設けたものである。
【００６９】
一般に、電気メス出力の電力値は同じでも、高周波出力波形の違いで生体組織への作用が異なる。さらに、生体組織を負荷とした際のインピーダンスＺの情報を得るための検知結果も異なる。例えば、図２０（Ｂ）に示す第１の出力波形と図２０（Ｃ）に示す第２の出力波形とではそれぞれ出力波形の面積は同じでも生体組織への作用が異なる。この場合、図２０（Ｂ）に示す第１の出力波形の周波数成分（スペクトラム）の方が高調波成分が多く、インパルスに近い。そして、図２０（Ｂ）に示す第１の出力波形の方が電圧波高値が高く放電しやすい。
【００７０】
また、高周波出力波形の違いにより、出力特性（出力インピーダンス）も変化することになり、切開や、凝固能力も変化する。具体的には図２０（Ｂ）に示す第１の出力波形では凝固作用が強くなり、図２０（Ｃ）に示す第２の出力波形では切開作用が強くなる。
【００７１】
そして、本実施の形態の電気メス装置では図２１（Ｂ）に示すように生体組織への電気メス出力の電力値を、定電力にしつつ、電圧及び周波数をダイナミックに変化させ、そのときの出力インピーダンスＺの変化によって、出力を制御する。例えば、同じ電力で（焼灼エネルギーは変えず）電圧や、周波数特性をダイナミックに（構造的には容易に）変える場合には図２０（Ｂ）に示す第１の出力波形と図２０（Ｃ）に示す第２の出力波形とを交互に、又は連続して変化させるように制御するようになっている。なお、図２１（Ａ）は第１５の実施の形態の出力波形の変化状態を示す特性図、（Ｂ）は出力特性図、（Ｃ）はＲ成分電流特性図、（Ｄ）はＣ成分電流特性図、（Ｅ）はＣ成分電流の変化状態を示す特性図である。
そこで、上記構成のものにあっては処置部の電気的特性をより的確に得ることができる効果がある。
【００７２】
また、図２２（Ａ），（Ｂ）および図２３（Ａ）は本発明の第１６の実施の形態を示すものである。本実施の形態は超音波振動又は超音波音響インピーダンスによって処置部位の状態をモニターしつつ、電気メスエネルギーにて処置を行う構成にしたものである。本実施の形態の電気手術装置１４１は図２２（Ａ）に示すように内視鏡下手術に用いる手術装置であって、組織を把持する動作が可能な処置具１４３と、処置部位と接するように設けられた超音波振動子１４８と、処置部を把持した部位を処置する制御可能な図２３（Ａ）に示す電気メスエネルギー供給手段である焼灼用電源１４２とが設けられている。
【００７３】
ここで、焼灼用電源１４２には超音波発振回路（検査出力発生手段）１４９と、高周波出力回路（エネルギー供給手段）１５０と、制御部１５１とが設けられている。また、処置具１４３には図２２（Ｂ）に示すように先端の処置部１４５にバイポーラ用の２つの電極１４７，１４６が設けられ、その一方に超音波振動子（検査出力供給手段）１４８の圧電素子が装着されている。
【００７４】
そして、処置時には電気メスエネルギー出力前に、超音波によって機械的／音響的インピーダンスを検出し、処置対象の生体組織の固さをみる。続いて、モニターしながら又は時分割で、電気メスエネルギーを供給する。その後、先のインピーダンスが所定値になった時点で、電気メスエネルギーを止める、又は変化させる。
【００７５】
なお、外科手術（オープン）では、術者は指先での触覚を情報として処置を判断し、進めている。内視鏡下手術では、触覚を術者が直接得られないので、その部分をアシストする。
【００７６】
そこで、上記構成のものにあっては生体組織の内部を含めた状態をモニターでき、処置できる（やけすぎ又はやけ不十分を防げる）。さらに、超音波振動を同時に与えているので、生体組織のこびりつきもなくなる。また、振動＋電気メスによって、均一で確実な溶着（血管等）が可能となる。そのため、処置部の状態を確認しながら処置をコントロールすることができる。
【００７７】
さらに、超音波振動子１４８を処置具１４３の処置部（把持部）１４５に設けることで、生体組織の状態をダイレクトに測定することができ、処置具１４３の長さも自由にできる。
【００７８】
また、第１６の実施の形態の構成を図２３（Ｂ）に示す第１の変形例、或いは図２４（Ａ）に示す第２の変形例のように変更しても良く、この場合も第１６の実施の形態と同様の効果が得られる。
【００７９】
また、図２４（Ｂ）に示す第３の変形例のように超音波振動子１６２をランジュバン型の強力タイプとしてハンドピース部１６１に設けることで、超音波処置も可能なバイポーラ処置具になる。さらに、図２４（Ｂ）中で、１６３は超音波振動子１６２の振動伝達部材、１６４はハンドピース部１６１の先端部の挟持部材１６５を軸方向に移動させるための操作ハンドル、１６６は超音波発振回路、１６７は高周波出力回路である。
【００８０】
また、図２５は本発明の第１７の実施の形態を示すものである。本実施の形態の電気手術装置１７１には焼灼用電源１７２と、フック型の処置具１７３と、対極板１７４とが設けられている。ここで、焼灼用電源１７２には超音波発振回路（検査出力発生手段）１７５と、高周波出力回路（エネルギー供給手段）１７６と、制御部１７７とが設けられている。
【００８１】
また、処置具１７３には細長い処置具本体１７８が設けられている。この処置具本体１７８の先端部には２つの電極１７９，１８０が設けられている。ここで、先端側の第１電極１７９には生体組織を引っ掛けるフック部１８１が形成されている。さらに、第１電極１７９と、この第１電極１７９の後方の第２電極１８０との間には処置対象の生体組織の生体情報を得る超音波振動子（生体情報検知手段）１８２が介設されている。
【００８２】
次に、上記構成の作用について説明する。本実施の形態の電気手術装置１７１の使用時には処置具本体１７８の第１電極１７９のフック部１８１で生体組織を引っ掛けた状態で、高周波出力によって生体組織を焼灼処置する。この処置中、超音波発振回路１７５が駆動され、第１電極１７９と第２電極１８０との間の超音波振動子１８２から出力される検知用の超音波振動が生体組織に加えられる。このとき、生体組織から反射される超音波信号が超音波振動子１８２で検出される。そして、この超音波振動子１８２で検出される超音波信号の変化によって生体組織の生体情報を得るとともに、この生体情報に基いて高周波出力回路１７６の駆動が制御され、高周波出力が制御される。
【００８３】
そこで、上記構成のものにあっては、第１電極１７９と第２電極１８０との間に超音波振動子１８２を介設し、高周波出力による生体組織の焼灼処置中、超音波振動子１８２による検出データに基いて処置対象の生体組織の生体情報を得るようにしたので、負荷となる生体組織の処置状態を確実に検知することができる。
【００８４】
なお、本発明は上記実施の形態に限定されるものではない。例えば、第１〜第５の各実施の形態および第７〜第１５の各実施の形態は、モノポーラ処置具だけでなく、バイポーラ処置具の場合にも用いることができる。さらに、その他、本発明の要旨を逸脱しない範囲で種々変形実施できることは勿論である。
次に、本出願の他の特徴的な技術事項を下記の通り付記する。
記
（付記項１）  生体組織の生体情報（負荷組織状態）を検知する為の信号（検査出力）として、少なくとも１つ以上の周波数を有し、その内少なくとも１つ以上の周波数は処置用エネルギーとして出力される周波数とは異なる周波数であることを特徴とする高周波エネルギー処置装置。
【００８５】
（付記項１の従来技術）  従来のものは、組織状態を検出する機能を有しているものでも、処置用の電圧・電流値を検知して見ている方式のものであり、非常に汚れた信号を処理する必要が出てきて、結果として信頼のおける検知を行うことが難しい。また、処置用周波数と検知用周波数では適切な周波数は本当は異なるものであるが、従来のものはそのような観点からは考慮されていない。
【００８６】
（付記項１の目的）  負荷組織状態の確実な検知が可能な高周波エネルギー処置装置の提供。
（付記項２）  出力回路が定電流出力であることを特徴とする高周波メスであって、負荷インピーダンスが上限あるいは下限を越えると出力電流を減少させることを特徴とする高周波メス。
【００８７】
（付記項２の目的）  （１）切除対象の影響を受けにくい、（２）電極ショート時の回路保護、（３）生体のカーボン化防止。
（付記項３）  複数の発振周波数源をもち、各々の周波数の成分をＭｉｘｉｎｇできる機能をもつ電気メス。
【００８８】
（付記項４）  Ｍｉｘｉｎｇ回路は足し算回路である付記項３の電気メス。
（付記項５）  Ｍｉｘｉｎｇ回路は掛け算回路である付記項３の電気メス。
（付記項６）  Ｍｉｘｉｎｇ回路はＦＭ変調回路である付記項３の電気メス。
【００８９】
（付記項３〜６の従来技術）  従来はあらかじめ定められた波形がプリセットされており、ユーザーの希望に応じてきめ細かい波形の調整をすることは困難であった。
【００９０】
（付記項３〜６の目的）  （１）多彩な処置用波形を（２）容易な操作性で得る。
（付記項７）  バイポーラ電気メスであって、発振源、アンプ、アンプに電源を供給する電源装置、組織を負荷とした際のインピーダンス情報を得るための検知回路をもち、組織の電力の見方を、定電力にしつつ、電圧及び周波数をダイナミックに変化させ、そのときのＺの変化によって、出力を制御するバイポーラ電気メス。
【００９１】
（付記項７の従来技術）  従来から、電気メスエネルギーを与える内のＺを検知して、出力を制御する技術が知られていたが、その際の信号源は単一の信号であった。これでは、その周波数又はその電圧での特性（静特性）しかわからない。
【００９２】
（付記項７の目的）  処置部の電気的特性をより的確に得る。
（付記項８）  内視鏡下手術に用いる手術装置であって、組織を把持する動作が可能な処置具、処置部位と接するように設けられた超音波振動子、処置部を把持した部位を処置する制御可能な電気メスエネルギー供給手段とを備えた手術装置。
【００９３】
（付記項８の従来技術）  バイポーラ電気メスで、処置部の電気的インピーダンスをモニターしながら、電気メスエネルギーを制御するものが考えられているが、電気的Ｚでは、表面状態と、その内部状態とのちがいがわからない。
【００９４】
（付記項８の目的）  処置部の状態を確認しながら処置をコントロールすること。
（付記項９）  生体組織に接触させる接触部に処置用の電極が装着された処置具を備え、上記処置用電極に処置用の電気エネルギーを供給し、上記生体組織の処置を行う電気手術装置において、上記処置用電極に供給される処置用の電気エネルギーの周波数とは異なる周波数の上記生体組織の状態検査用の検査信号を発生させる検査信号発生手段と、上記検査信号の変化を検出し、その検出データに基いて処置対象の上記生体組織の生体情報を得る生体情報検知手段とを具備したことを特徴とする電気手術装置。
【００９５】
【発明の効果】
本発明によれば検査出力発生手段によって生体組織の状態検査用の検査出力を発生させ、この検査出力を処置具の処置手段に供給して生体組織の処置中の検査出力の変化を検出し、その検出データに基いて生体情報検知手段によって処置対象の生体組織の生体情報を得るようにしたので、負荷となる生体組織の処置状態を確実に検知することができる。
【図面の簡単な説明】
【図１】  本発明の第１の実施の形態の電気手術装置のシステム全体の概略構成図。
【図２】  第１の実施の形態の要部の概略構成図。
【図３】  第１の実施の形態の処置用出力波の上に検知用出力波が重畳されている状態を示す特性図。
【図４】  （Ａ）は第１の実施の形態の生体のインピーダンスＺの変化特性を示す特性図、（Ｂ）は第１の実施の形態の変形例における生体のインピーダンスＺの変化特性を示す特性図。
【図５】  （Ａ）は本発明の第２の実施の形態の電気手術装置の要部の概略構成図、（Ｂ）は第２の実施の形態の変形例を示す要部の概略構成図。
【図６】  本発明の第３の実施の形態の電気手術装置の要部の概略構成図。
【図７】  本発明の第４の実施の形態の電気手術装置の要部の概略構成図。
【図８】  本発明の第５の実施の形態を示すもので、（Ａ）は電気手術装置のアダプタの接続状態を示す斜視図、（Ｂ）はアダプタ内の電気回路を示す概略構成図。
【図９】  本発明の第６の実施の形態の電気手術装置の要部の概略構成図。
【図１０】  本発明の第７の実施の形態の要部の概略構成図。
【図１１】  本発明の第８の実施の形態の要部の概略構成図。
【図１２】  本発明の第９の実施の形態の要部の概略構成図。
【図１３】  （Ａ）は本発明の第１０の実施の形態の電気手術装置の概略構成図、（Ｂ）は第１０の実施の形態の定電流出力の出力回路を示す要部の概略構成図。
【図１４】  第１０の実施の形態の制御機能を説明するための特性図。
【図１５】  本発明の第１１の実施の形態の要部の概略構成図。
【図１６】  本発明の第１２の実施の形態の電気メス装置の斜視図。
【図１７】  （Ａ）は第１２の実施の形態の足し算回路を示す要部の概略構成図、（Ｂ）は周波数調整波形を示す特性図。
【図１８】  第１２の実施の形態の足し算回路の変形例を示す要部の概略構成図。
【図１９】  （Ａ）は本発明の第１３の実施の形態の電気メス装置の掛け算回路を示す要部の概略構成図、（Ｂ）は（Ａ）の周波数調整波形を示す特性図、（Ｃ）は本発明の第１４の実施の形態の電気メス装置のＦＭ変調回路を示す要部の概略構成図、（Ｄ）は（Ｃ）の周波数調整波形を示す特性図。
【図２０】  本発明の第１５の実施の形態を示すもので、（Ａ）は電気メス装置の要部の概略構成図、（Ｂ）は第１の出力波形を示す特性図、（Ｃ）は第２の出力波形を示す特性図。
【図２１】  第１５の実施の形態の作用を説明するための説明図で、（Ａ）は出力波形の変化状態を示す特性図、（Ｂ）は出力特性図、（Ｃ）はＲ成分電流特性図、（Ｄ）はＣ成分電流特性図、（Ｅ）はＣ成分電流の変化状態を示す特性図。
【図２２】  本発明の第１６の実施の形態を示すもので、（Ａ）は電気手術装置の斜視図、（Ｂ）は処置部の側面図。
【図２３】  （Ａ）は第１６の実施の形態の電気手術装置の概略構成図、（Ｂ）は第１６の実施の形態の第１の変形例の概略構成図。
【図２４】  （Ａ）は第１６の実施の形態の第２の変形例の概略構成図、（Ｂ）は第１６の実施の形態の第３の変形例の概略構成図。
【図２５】  本発明の第１７の実施の形態の電気手術装置を示す概略構成図。
【符号の説明】
３    モノポーラ処置具
６    処置用周波数発振器（エネルギー供給手段）
７    検知用周波数発振器（検査出力発生手段）
１０    出力合成回路（検査出力供給手段）
１３、４８    組織状態検知回路（生体情報検知手段）
３７    ｆ2 用組織状態検出回路（生体情報検知手段）
３８    ｆ1 用組織状態検出回路（生体情報検知手段）
８１    高周波メス（処置具）
１４３、１７３    処置具
１４８    超音波振動子（検査出力供給手段）
１４９、１７５    超音波発振回路（検査出力発生手段）
１５０、１７６    高周波出力回路（エネルギー供給手段）
【図１】
0003780069.tif 000002
【図２】
0003780069.tif 000003
【図３】
0003780069.tif 000004
【図４】
0003780069.tif 000005
【図５】
0003780069.tif 000006
【図６】
0003780069.tif 000007
【図７】
0003780069.tif 000008
【図８】
0003780069.tif 000009
【図９】
0003780069.tif 000010
【図１０】
0003780069.tif 000011
【図１１】
0003780069.tif 000012
【図１２】
0003780069.tif 000013
【図１３】
0003780069.tif 000014
【図１４】
0003780069.tif 000015
【図１５】
0003780069.tif 000016
【図１６】
0003780069.tif 000017
【図１７】
0003780069.tif 000018
【図１８】
0003780069.tif 000019
【図１９】
0003780069.tif 000020
【図２０】
0003780069.tif 000021
【図２１】
0003780069.tif 000022
【図２２】
0003780069.tif 000023
【図２３】
0003780069.tif 000024
【図２４】
0003780069.tif 000025
【図２５】
0003780069.tif 000026